(57)【要約】      （修正有）【課題】幼児座席に座った幼児の広い居住空間を保ち、また少ないパーツで持ち運びが容易で季節を問わず利用できる雨天兼用カバーを提供する。【解決手段】Ｕ字型の金具（１）で後部幼児座席に紫外線カット加工且つ撥水加工を施したドーム型の幌（２）を固定し、この幌の前周部（３）から可撓性且つ弾力性を有するリング状の３つの張り枠により形成された透明な塩化ビニルシートと撥水加工のあるポリエステルの生地を縫合したレインシートをスライドファスナー（３）によって固定し垂下されたものであることを特徴とする。【選択図】図４
2020069893.tif 000002
【特許請求の範囲】
【請求項１】
自転車の荷台と後部幼児座席の間に、５ｍｍ程の薄い金属で形成したＵ字型の金具によって固定されることを特徴とする自転車の幼児座席カバー。
【請求項２】
紫外線カット及び撥水加工を施し、開口部分の段階調整が可能なドーム型の幌を有することを特徴とする請求項１に記載の自転車の幼児座席用カバー。
【請求項３】
前項の幌前部より可撓性且つ弾力性を有するリング状の３つの張り枠により形成された透明な塩化ビニルシートを撥水加工のあるポリエステルの生地を縫合したレインシートを垂下することを特徴とする請求項１又は２に記載の自転車の幼児座席用カバー。
【請求項４】
前項のレインシートはスライドファスナーにより請求項２の幌に結合されていることを特徴とする請求項１〜３いずれかに記載の自転車の幼児座席用カバー。
【請求項５】
自転車の後部に装着される幼児座席用カバーであって、紫外線カット及び撥水加工の     ある幌よりスライドファスナーでレインカバーが垂下することを特徴とする請求項１〜５のいずれかに記載の自転車の幼児座席用カバー。
【発明の詳細な説明】
【技術分野】
【０００１】
本発明は、自転車の後部幼児用座席カバーに関するものである。
【背景技術】
【０００２】
従来の自転車の幼児座席用レインカバーには、下端が開口した袋状に形成し、このカバーをチャイルドシートの上側から被せて装着するようにしたものがある（例えば引用文献１）。
また、他の幼児座席用レインカバーには、座席を囲むように複数のフレームを設け、この複数のフレームでシート状のレインカバー本体を幼児座席の周囲を取り囲むように保形し、これにより幼児座席に座った子供の周囲に十分な空間を形成したようにしたものがある（例えば引用文献２）。
【先行技術文献】
【特許文献】
【０００３】
【特許文献１】実用新案登録第３１６６３１４号公報
【特許文献２】特開２００８−６２８２３号公報
【発明の概要】
【発明が解決しようとする課題】
【０００４】
しかし、前者の従来の場合、幼児座席用レインカバーを立体形状に保形するためのフレームが設けられていないため、天井面が幼児座席のヘッドレストに支えられる構造である。そのため幼児の座高が座席の高さを越えると天井面が着席した幼児の頭部に接触し、十分な空間を儲けることができない。
また、後者の従来の場合、幼児座席に座った子供の周囲に十分な空間を確保することができるが、複数のフレームを幼児座席の周囲を取り囲むように取り付ける必要があるため装着に手間がかかり、またフレームが多いためコンパクトに収納できず、持ち運びができないという問題があった。
さらに、いずれのカバーも風雨を避けることを目的としているため、防寒性は高いが夏は暑くて使えないという問題がある。
【０００５】
本発明は上記問題点に鑑み、幼児座席に座った幼児の周囲に十分な居住空間を形成することができるとともに、パーツを少なくすることで装着を容易にし、またコンパクトに収納できる。さらに幌単体で、幼児座席に着席する幼児の紫外線対策用品として季節を問わず使用することができる晴雨兼用カバーを提供することを目的としている。
【課題を解決するための手段】
【０００６】
本発明における幼児用座席カバーは、Ｕ字型の金具により幼児用座席に固定されたドーム型の幌と、幌の外周円に垂下する取り外し可能なレインカバーにより形成されていることを特徴とする。
【０００７】
本発明品は、Ｕ字型の金具により取り付けられた幌により高さが固定されているため、幼児座席に着席した幼児の頭部の周囲により広い空間を形成することができることを特徴とする。
【０００８】
本発明品は、ドーム型の幌にＵＶカット加工を施し、幌単体でも紫外線対策として季節を問わず使用できることを特徴とする。
【発明の効果】
【０００９】
本発明によれば、幌は可撓性のある枠でドーム型に保形されているため、幼児座席に着席した幼児の頭部の周囲により広い空間を形成することができる。
さらに、幌はＵＶカット加工が施されているため、晴天時に日除けとして使用することができるため、収納の手間がない。
【図面の簡単な説明】
【００１０】
【図１】雨天兼用カバーを自転車のリヤ側に装着した状態の自転車の側面図である。
【図２】雨天兼用カバーを自転車のリヤ側に装着した状態の自転車の背面図である。
【図３】雨天兼用カバーのレインカバーの斜傾図である。
【図４】雨天兼用カバーの幌部分の斜傾図である。
【図５】雨天兼用カバーの幌部分の背面図である。
【図６】雨天兼用カバーの畳んだ幌のみを自転車のリヤ側に装着した自転車の側面図である。
【図７】雨天兼用カバーの広げた幌のみを自転車のリヤ側に装着した自転車の側面図である。
【発明を実施するための形態】
【００１１】
以下、本発明の実施の形態を図面に基づいて説明する。
【００１２】
本発明品は図４の１を、自転車リヤ側の荷台と、荷台に装着した後部用幼児座席の間に挟み、図４の２の幌を装着する。
【００１３】
図４の２は張りがあり、撥水加工及び紫外線カットの加工を施している。
【００１４】
図４の幌後部の垂下端はゴムが縫い込まれており、１３のストッパーでゴムの長さを調整できる。さらに、１１のフックに１２を引っ掛けることで、様々な後部幼児座席の背面にフィットし、背面からの風雨の侵入を防ぐ。
図２は、1のＵ字金具を装着した例で、１１〜１３は使用していない図である。
【００１５】
図４の幌後部の垂は内側に１０のポケットが縫い付けられている。幌を装着したまま、図３のレインカバーを収納できる。
【００１６】
図３の下端にはゴムが縫い込まれている。前記のゴムは、１４で長さを調整できる。
【００１７】
図３の１５は、張枠４の直下にあり、自転車の走行中にレインカバーが外れないよう、自転車の荷台にカバーを固定するバンドである。
【符号の説明】
【００１８】
２         紫外線カット及び撥水幌
３         スライドファスナー
４〜６     張り枠
７〜９     透明窓
１６       通気口
１７       外ポケット
【図１】
2020069893.tif 000003
【図２】
2020069893.tif 000004
【図３】
2020069893.tif 000005
【図４】
2020069893.tif 000006
【図５】
2020069893.tif 000007
【図６】
2020069893.tif 000008
【図７】
2020069893.tif 000009
【手続補正書】
【提出日】令和1年8月22日(2019.8.22)
【手続補正１】
【補正対象書類名】特許請求の範囲
【補正対象項目名】請求項１
【補正方法】変更
【補正の内容】
【請求項１】
自転車の荷台と後部幼児座席の間に、厚さ３ｍｍの金属で形成したＵ字型の金具によって固定されることを特徴とする自転車の幼児座席カバー。
【手続補正２】
【補正対象書類名】特許請求の範囲
【補正対象項目名】請求項２
【補正方法】変更
【補正の内容】
【請求項２】
紫外線カット及び撥水加工を施し、ドーム型の幌を有することを特徴とする請求項１に記載の自転車の幼児座席用カバー。
【手続補正３】
【補正対象書類名】特許請求の範囲
【補正対象項目名】請求項３
【補正方法】変更
【補正の内容】
【請求項３】
請求項２の幌は図４の３より、撥水加工のあるポリエステルの生地を縫合したレインシートを垂下することを特徴とする請求項１又は２に記載の自転車の幼児座席用カバー。
【手続補正４】
【補正対象書類名】特許請求の範囲
【補正対象項目名】請求項４
【補正方法】変更
【補正の内容】
【請求項４】
請求項３のレインシートはスライドファスナーにより請求項２の幌に結合されていることを特徴とする請求項１〜３いずれかに記載の自転車の幼児座席用カバー。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
自転車の荷台と後部幼児座席の間に、厚さ５ｍｍ程度の金属で形成した図８のＵ字型の金具を挟むことによって固定される自転車の幼児座席カバー。
【請求項２】
図４の３.幌側スライドファスナーと図３の３.レインカバー側スライドファスナーを結合することで、紫外線カット及び撥水加工を施したドーム型の幌と、撥水加工のあるポリエステルの生地を縫合したレインカバーが垂下することを特徴とする請求項１に記載の自転車の幼児座席用カバー。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
自転車の荷台と後部幼児座席の間に、厚さ５ｍｍ程度の金属で形成した図８のＵ字型の金具を挟むことによって固定される自転車の幼児座席カバー。
【請求項２】
図４の３.幌側スライドファスナーと図３の３.レインカバー側スライドファスナーを結合することで、紫外線カット及び撥水加工を施したドーム型の幌と、撥水加工のあるポリエステルの生地を縫合したレインカバーが垂下することを特徴とする請求項１に記載の自転車の幼児座席用カバー。
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
自転車の荷台と後部幼児座席の間に、金属で形成したＵ字型の金具を挟むことによって固定される自転車の幼児座席用カバー。
【請求項２】
幌側スライドファスナー（３（図４））とレインカバー側スライドファスナー（３（図３））を結合することで、紫外線カット及び撥水加工を施したドーム型の幌から、撥水加工のあるポリエステルの生地を縫合したレインカバーが垂下することを特徴とする請求項１に記載の自転車の幼児座席用カバー。